(57)【要約】【課題】  サイト評価を促進しかつ従って関連するアクセサリーを含む、選択されたプリント装置を提供すること。【解決手段】  プリント装置等の膨張可能な原寸大モデル。選択されたプリント装置に対応して膨張された時、この原寸大モデルは所定の形状を有する容易に膨張可能な本体を含む。本体は、選択されたプリント装置のためのユーティリティ・フックアップ・ロケーションを示す特徴構成を含む。本体が膨張する場合、特定のサイトでサイト立案及びユーティリィティ要求を促進するために使用し得る。【選択図】  図２
2005104131.tif 000002
【特許請求の範囲】
【請求項１】
プリント装置の膨張可能な実物大モデルであって、
膨張した時に選択されたプリント装置に実物大で対応する、所定の形状を有する容易に膨張可能な本体であって、前記本体は、選択された前記プリント装置のためのユーティリィティ・フックアップ・ロケーションを代表する形状構成を含み、ここで、膨張した時、前記本体はサイト評価及び立案、及び、選択された前記プリント装置に対する特定サイトでのユーティリィティ接続要求を促進するために使用し得る、前記本体を備える、プリント装置の膨張可能な実物大モデル。
【請求項２】
ユーティリティ・フックアップ・ロケーションを代表する前記形状構成は、電力接続、圧搾空気接続、送水接続、ドレン接続、ネットワーク接続、モデム接続、あるいは環境制御システム接続のうちの少なくとも１つのためのロケーションを含む、請求項１に記載のプリント装置の膨張可能な実物大モデル。
【請求項３】
膨張した時に選択された前記プリント装置のためのアクセサリーに実物大で対応する所定の形状を有する容易に膨張可能な本体を更に含む、請求項１に記載のプリント装置の膨張可能な実物大モデル。
【請求項４】
容易に膨張可能な前記本体が複数の独立した部分を具備する、請求項１に記載のプリント装置の膨張可能な実物大モデル。
【請求項５】
容易に膨張可能な前記本体の複数の前記部分は適切なファスナー機構により互いに協働する関係に維持される、請求項４に記載のプリント装置の膨張可能な実物大モデル。
【請求項６】
選択されたプリントデ装置のためのサイトの適合性を評価する方法であって、
選択されたプリント装置のためのユーティリティ・フックアップ・ロケーションを代表する形状構成を具備して、膨張した時に選択された前記プリント装置に対応する所定の形状を有するプリント装置、または同種の他のものの膨張可能な実物大モデルを提供する段階と；
所望の顧客サイトのようなサイトで前記実物大プリント装置モデルを膨張させる段階と；
膨張した実物大プリント装置モデルで、前記サイトが選択された前記プリント装置を適切に収容し得るかどうかを決定し、前記実物大プリント装置モデルのユーティリティ・フックアップの前記形状構成から、前記サイトが適切なロケーションで必要なユーティリティ接続へのアクセスを有するかどうかを決定するために、前記サイト・ロケーションを評価する段階と；を備える方法。
【請求項７】
ユーティリティ接続を評価する前記段階が、電力接続、圧搾空気接続、送水接続、ドレン接続、ネットワーク接続、モデム接続、あるいは環境制御システム接続のうちの少なくとも１つの状態を評価する段階を含む、請求項６に記載の方法。
【請求項８】
膨張した時に選択された前記プリント装置のためのアクセサリーの実物大モデルに対応する所定の形状を有する容易に膨張可能な本体を提供する段階、及び前記アクセサリーの実物大モデルを前記プリント装置の実物大モデルと関連づける段階を更に含む、請求項６に記載の方法。
【請求項９】
提供された容易に膨張可能な前記本体が複数の部分を具備し、及び、前記プリント装置の所定の形状を規定するために複数の前記部分を互いに関連づける段階を含む、請求項６に記載の方法。
【請求項１０】
前記サイト・ロケーションを評価する段階が、選択された前記プリント装置に対応する所定の形状を確立するために容易に膨張可能な前記本体の複数の前記部分をの複数の前記部分を互いに留める段階を含む、請求項６に記載の方法。
【発明の詳細な説明】
【技術分野】
【０００１】
本発明は一般的にプリンター等、そしてより詳細には顧客サイトの所望のプリンターサイト・ロケーションの評価を容易にするためのプリンターの膨張可能な実物大モデルに関する。
【背景技術】
【０００２】
モデム、大容積プリンター及びコピア／複写機装置等は、選択されたプリンター装置及び何れかの関連するアクセサリーに依存して、様々な複雑さ、及び基礎的なものから複雑な複合体までに及ぶ広範囲の形状構成をしている。こうしたプリント装置は、例えば、それらの所望の機能を実行するために用いられた技術に基づいて、多くの形状を呈する。多くの形状構成は、再び、プリント装置の形状構成及びこれらに関連するアクセサリーに依存して、異なる床空間領域を要する。さらにまた、プリント装置は標準及び誂えたユーティリィティ接続の両方を要し得る。例えば、電気、空気操作、あるいは送水設備のようなユーティリィティにプリント装置（及びアクセサリー）を接続する利便性についての考えを有することが必要である。これらが適合性と、ユーティリィティの利便性及び接続との両方に関して所望のサイトで適切であることを保証するように、これらのプリント装置の設置面積及びこれらのユーティリィティ接続を容易に決定可能なことは重要である。
【発明の開示】
【発明が解決しようとする課題】
【０００３】
過去に、所望のサイトを選択及び評価する時、サイト・プランナーは、プリント装置及びアクセサリーの寸法を近似しなければならなかった。さらにまた、ユーティリィティへの接続を推測しなければならなかった。プリント装置の配置及び適切なユーティリィティ接続の準備は、大部分は当て推量又は試行錯誤によって遂行された。今日、多くの顧客はサイト・ロケーション適合性に確信がなく、かつ、プリント装置が現地で適切に配置される以前にユーティリィティ用接続を設置することに満足していない。これは、顧客サイトでプリント装置を設置し及びプリント装置を運用上の利益を作り出すモードへにオン・ライン接続する上でのかなりの遅延に通じる。
【課題を解決するための手段】
【０００４】
上記に鑑み、本発明は、サイト評価を促進しかつ従って関連するアクセサリーを含む、選択されたプリント装置を提供するための方法及び装置に向けられている。所望の結果を遂行するために、選択されたプリント装置の膨張可能な実物大モデルが提供される。この実物大モデルは、膨張した時に、選択されたプリント装置に対応する所定の形状を有する、容易に膨張可能な本体を含む。本体は、選択されたプリント装置用ユーティリティ設置ロケーションを代表する形状構成を含む。これらの設置フックアップ形状構成は、例えば、電力接続、圧搾空気接続、送水接続、ドレン接続、ネットワーク接続、モデム接続及び／又は環境制御システム接続のための配置位置を含む。本体が膨張する時、それは選択されたプリント装置（及び何れかの必要な関連するアクセサリー）のためのサイト評価及び準備、並びに特別サイトでのユーティリィティ接続要求を促進するために使用し得る。その結果、膨張したモデルは、顧客サイト・ロケーションの適合性、及び選択されたプリント装置用ユーティリィティ接続特性に関する不確実性を除去する。したがって、ユーティリィティ接続を含むサイトが、選択されたプリント装置がサイトに運ばれる時に準備が完了している保証を与える。
【０００５】
本発明、及びその目的と利点は以下に提示する好ましい実施形態の詳細な説明でより明白になる。
【０００６】
以下に、添付図面を参照して、本発明の好ましい実施形態を詳述する。
【発明を実施するための最良の形態】
【０００７】
ここで、添付図面を参照すると、本発明による選択されたプリント装置の選択的に膨張可能な実物大モデルは、参照数字１０によって全体的に示される。プリント装置モデル１０は、以下に記載する態様で膨張する時、何れか所望の選択されたプリント装置の実物大モデルに相当し、必要なユーティリィティが特定の選択されたプリント装置に接続される箇所を示す形状構成を含む。これらの形状構成は、電力接続、圧搾空気接続、水接続、ドレン接続、ネットワーク接続、モデム接続、あるいは環境制御システム接続のようなユーティリィティのための接続を含む。さらに、プリント装置モデルは、選択されたプリント装置と共に使用されることを所望（又は要求）し得る何れかのアクセサリー（図５Ａ及び図５Ｂを参照）も含み得る。こうした実物大プリント装置モデル１０の利用によって、十分で完全な評価及び顧客サイトの評価は、適合性及び／又は特別の選択されたプリント装置（及び何れかの関連するアクセサリー）、並びに必要なユーティリティ（及びプリント装置に対するこれらの適切なロケーション）を適切に適合させるサイトの適合性及び／又は必要性を決定するために作り得る。
【０００８】
図１は配送容器１２内で、空気が抜かれた状態での、プリント装置モデル１０の斜視図を示す。ポンプのような何れか適切な膨張装置１４は、配送容器１２内に含み得る。配送容器１２は、その後、膨張装置１４を使用して容易に展開された状態で、関連するアクセサリーと共に、顧客サイト及びプリント装置モデルに容易に運んで来ることができる。顧客サイトの選択されたロケーションでは、空気が抜かれたプリント装置モデル１０は包装が解かれ、適切な充填バルブ１２ａで膨張装置１４に接続される。膨張装置１４を付勢すると、プリント装置は、選択されたプリント装置のための実物大の寸法を呈するまで容易に膨張される。
【０００９】
膨張可能な実物大プリント装置モデル１０は図２から図４までに膨張状態で示されている。この特定の実施形態では、添付図面に示すプリント装置モデル１０は、ニューヨーク州ロチェスターのＮｅｘＰｒｅｓｓソリューションズからＮｅｘＰｒｅｓｓカラー・オン・デマンド・プリンターである。もちろん、多くの他の特別なプリント装置を、本発明で使用するために実物大モデルに作り得る。実物大プリント装置モデル１０に加えて、何れか所望の（又は要求される）アクセサリーも実物大で提供し得る。図５Ａ及び図５Ｂに示すように、ＮｅｘＰｒｅｓｓ  ２１００カラー・オン・デマンド・プリンター用のＮｅｘＳｔａｔｉｏｎアクセサリーの実物大モデルが提供される。このように、選択されたプリント装置用の顧客サイトの適合性及びこれに関連する何れか所望の／要求されたアクセサリーは正しく評価し得る。
【００１０】
プリント装置モデル１０は、特定の選択されたプリント装置のための実物大の全ての詳細を具備する。図２から図４までの実施形態では、プリント装置モデル１０は、主要プリント機構ハウジング３０ａ、並びに右フレーム断面３０ｂ及び周辺制御部分３０ｃの代表を含む。プリント装置モデル１０は一体物構成とし得るか、あるいは便宜的目的のために、幾つかの構成要素から構成し得る。図示した特別のプリント装置モデルでは、幾つかの構成要素は、プリント装置の異なる断面、すなわち、主要プリント機構ハウジング、右断面及び周辺制御断面に対応すべく、設けられ、形状構成される。図４に最も良く示すように、これらの個々の断面は、例えば、”ＶＥＬＣＲＯ（登録商標）”のような何れか適切なファスナー機構４０ａ、４０ｂによって連結される。
【００１１】
上記したように、本発明によるプリント装置モデル１０は、適切な形状構成を代表するユーティリィティ接続を含む。これらの接続は、電力接続５０、圧搾空気接続５２、水接続５４、ドレン接続５６、ネットワーク接続とモデム接続５８、及び周辺制御システム排出接続６０を含む。同様に、アクセサリーのための何れか適切なユーティリィティ接続を提供し得る。例えば、図５Ａ及び図５Ｂのアクセサリー２０用ネットワーク接続及びモデム接続５８ａを参照されたい。もちろん、本願明細書に記載したユーティリィティ接続は単に例示的なものであり、評価し査定される特別のプリント装置（及び任意のアクセサリー）の要求に応じて誂えられる。他のユーティリィティ接続及びこれらの装置構成は本発明と共に使用するために適切であり、かつサイト適合性のために評価され査定される特定のプリント装置の形状構成及び要求に依存する。
【００１２】
顧客サイトで適切に設定された実物大のプリント装置モデル１０によって、サイトは、対応する選択されたプリント装置の常設装置用適合性を評価し得る。周囲の間隔と同様にプリント装置の設置面積も、容易に決定（図４を参照）かつ評価し得る。また、種々のユーティリィティ・ロケーションは留意されたユーティリィティを表す形状構成から決定し、かつ適合性又は必要な付加的ユーティリィティ接続のために評価し得る。本発明による、実物大のプリント装置モデル１０によって、プリント装置がサイトに運ばれる以前に、サイト評価及び査定を適合性、あるいは必要とし得る何れかの変更ために容易に遂行し得る。
【００１３】
本発明をその或る好ましい実施形態を特に参照して詳細に説明してきたが、本発明の精神及び範囲内で変更及び変形を行い得ることが理解される。
【図面の簡単な説明】
【００１４】
【図１】本発明による配送容器内における、空気が抜かれた状態の選択的に膨張可能な実物大プリント装置モデル、及び膨張ポンプの斜視図である。
【図２】本発明によるユーティリィティ接続を示す、膨張した状態での、選択的に膨張可能なプリント装置モデルの正面図である。
【図３】本発明によるユーティリティ接続を示す、膨張した状態での、選択的に膨張可能な実物大プリント装置モデルの斜視背面図である。
【図４】プリント装置及びユーティリィティ接続ロケーションの設置面積を示す膨張した状態での、選択的に膨張可能な実物大プリント装置モデルの平面図である。
【図５Ａ】本発明による、プリント装置用のアクセサリーの選択的に膨張可能な実物大モデルの斜視図である。
【図５Ｂ】本発明による、プリント装置用のアクセサリーの選択的に膨張可能な実物大モデルの平面図である。
【符号の説明】
【００１５】
１０  プリント装置の選択的に膨張可能な実物大モデル
１０ａ  
１２  配送容器
１２ａ  充填バルブ
１４  膨張装置
２０  アクセサリー
３０ａ  主要プリント機構ハウジング
３０ｂ  右フレーム断面
３０ｃ  周辺制御部
４０ａ、４０ｂ  ファスナー機構
５０  電力接続
５２  圧搾空気接続
５４  送水接続
５６  ドレン接続
５８  ネットワーク接続とモデム接続
５８ａ  
６０  周辺制御システム排出接続
【図１】
2005104131.tif 000003
【図２】
2005104131.tif 000004
【図３】
2005104131.tif 000005
【図４】
2005104131.tif 000006
【図５Ａ】
2005104131.tif 000007
【図５Ｂ】
2005104131.tif 000008